(57)【特許請求の範囲】
【請求項１】
透視可能な前面レンズと、前記前面レンズの周縁部分に取り付けられている面体と、頭部に掛け回す着用バンドと、吸気弁と、排気弁とを有し、ろ材を取り付け可能に形成されていて、前記ろ材を通過した空気を前記吸気弁を介して吸入することのできるフルフェイス型の防護マスクであって、
前記ろ材を収容するためのホルダー部と、前記ホルダー部から前記防護マスクの内側に向かう通気路を形成している管状部とを有し、
前記ホルダー部は、その外径が前記管状部の外径よりも大きくて、前記管状部における両端部のうちの一端部に対してその一端部の周方向へ摺動可能に取り付けられており、
前記管状部は、前記一端部に対する他端部が前記前面レンズおよび前記面体のいずれかに対して回転不能に取り付けられていて、前記一端部は、前記ホルダー部に対して、前記ホルダー部の径方向において前記ホルダー部の中心から離間した位置にあり、前記ホルダー部が前記管状部を中心にして旋回可能な状態にあり、前記ホルダー部が、前記管状部の一端部に周方向へ摺動可能かつ抜脱不能に取り付けられていることを特徴とする前記防護マスク。
【請求項２】
前記防護マスクは、前記ホルダー部の前記旋回を停止させることのできるストッパーを有し、前記ホルダー部が旋回して前記ホルダー部の中心が前記防護マスクの前後方向において前記管状部よりも後方に来ると、前記ストッパーが作用して前記ホルダー部の旋回を停止させる請求項１記載の防護マスク。
【請求項３】
前記ホルダー部は、その平面形状が円形である請求項１または２記載の防護マスク。
【請求項４】
前記面体が柔軟弾性材料によって形成される一方、前記前面レンズが前記面体よりも硬質なプラスチック材料によって形成されていて、前記管状部の前記他端部が前記前面レンズに対して取り付けられている請求項１〜３のいずれかに記載の防護マスク。
【請求項５】
前記柔軟弾性材料がシリコーンゴムである請求項４記載の防護マスク。
【請求項６】
前記防護マスクは、その幅方向の寸法を二等分して上下方向へ延びる中心線に関して対称となるように形成されている請求項１〜５のいずれかに記載の防護マスク。
【発明の詳細な説明】
【技術分野】
【０００１】
この発明は、防じん用や防毒用マスクとして使用するのに好適なフルフェイス型の防護マスクに関する。
【背景技術】
【０００２】
防じん用や防毒用のフルフェイス型の防護マスクは従来周知である。また、防護マスクを着用して作業をするときの環境条件によっては、防護マスクを防護衣と併せて着用することがあることも周知である。
【０００３】
例えば、特開２００８−１９４０９３号公報（Ｐ２００８−１９４０９３Ａ、特許文献１）に記載の防護衣は、フルフェイス型の防護マスクと併せて着用するのに好適なものである。この防護衣は、防護マスク着用者のほぼ全身を覆うことができるものであるが、防護マスクのレンズ部を露出させることのできる開口部を有している。開口部の周縁部分は弾性的に伸長収縮可能であって、防護衣を着用したときには、その開口部の周縁部分をレンズ部の周囲部分に重ねて密着させることができる。
【先行技術文献】
【特許文献】
【０００４】
【特許文献１】特開２００８−１９４０９３号公報（Ｐ２００８−１９４０９３Ａ）
【発明の概要】
【発明が解決しようとする課題】
【０００５】
防護マスクと防護衣とを着用して作業をするときの環境によっては、その環境における空気や塵芥が防護マスクや防護衣の内側へ侵入することを確実に避けることのできる安全対策が必要となる場合がある。防護マスクについては、適正に着用すること、ろ紙内蔵のフィルタや吸収缶等のろ材を適正に管理すること等がその安全対策の例である。防護衣については、適正サイズのものを適正に着用することがその安全対策の一例である。また、防護マスクにおけるレンズ部の周縁近傍の部分とそこに重ねた防護衣の開口部の周縁部分とには、両部分にまたがるように粘着性の養生テープを貼って防護マスクと防護衣との間に隙間が生じることを防ぐことも安全対策の一つである。しかし、防護マスクの構造によっては、防護マスクに対してその養生テープを貼ることが容易ではない、ということがある。
【０００６】
この発明が課題とするところは、フルフェイス型の防護マスクと防護衣とを併せて着用したときに、防護マスクにおけるレンズ部の周縁近傍の部分と防護衣の開口部の周縁部分とに対して養生テープを貼ることが容易となるように、従来の防護マスクに改良を施すことにある。
【課題を解決するための手段】
【０００７】
前記課題を解決するためにこの発明が対象とするのは、透視可能な前面レンズと、前記前面レンズの周縁部分に取り付けられている面体と、頭部に掛け回す着用バンドと、吸気弁と、排気弁とを有し、ろ材を取り付け可能に形成されていて、前記ろ材を通過した空気を前記吸気弁を介して吸入することのできるフルフェイス型の防護マスクである。
【０００８】
この発明が特徴とするところは、次のとおりである。すなわち、前記防護マスクは、前記ろ材を収容するためのホルダー部と、前記ホルダー部から前記防護マスクの内側に向かう通気路を形成している管状部とを有する。前記ホルダー部は、その外径が前記管状部の外径よりも大きくて、前記管状部における両端部のうちの一端部に対してその一端部の周方向へ摺動可能に取り付けられている。前記管状部は、前記一端部に対する他端部が前記前面レンズおよび前記面体のいずれかに対して回転不能に取り付けられていて、前記一端部は、前記ホルダー部に対して、前記ホルダー部の径方向において前記ホルダー部の中心から離間した位置にあり、前記ホルダー部が前記管状部を中心にして旋回可能な状態にある。
【０００９】
この発明の実施態様の一つにおいて、前記防護マスクは、前記ホルダー部の前記旋回を停止させることのできるストッパーを有し、前記ホルダー部が旋回して前記ホルダー部の中心が前記防護マスクの前後方向において前記管状部よりも後方に来ると、前記ストッパーが作用して前記ホルダー部の旋回を停止させる。
【００１０】
この発明の実施態様の一つにおいて、前記ホルダー部は、その平面形状が円形である。
【００１１】
この発明の実施態様の一つにおいて、前記面体が柔軟弾性材料によって形成される一方、前記前面レンズが前記面体よりも硬質なプラスチック材料によって形成されていて、前記管状部の前記他端部が前記前面レンズに対して取り付けられている。
【００１２】
この発明の実施態様の一つにおいて、前記柔軟弾性材料がシリコーンゴムである。
【００１３】
この発明の実施態様の一つにおいて、前記防護マスクは、その幅方向の寸法を二等分して上下方向へ延びる中心線に関して対称となるように形成されている。
【発明の効果】
【００１４】
この発明に係るフルフェイス型の防護マスクは、ろ材を取り付けるために使用されるホルダー部と管状部とのうちのホルダー部が管状部を中心に旋回可能である。防護マスクを着用しているときには、防護マスクの前後方向において、ホルダー部の中心が管状部よりも後方に来るように旋回させることで、着用者は、ホルダー部の重さを頸部の近くで支えることができて、ホルダー部の重さを強く感じることがない。着用者が防護マスクと防護衣とを併せて着用して、防護衣における顔面露出用開口の周縁部分を防護マスクのレンズ部周縁部分にかぶせ、これら両方の周縁部分に対して粘着性テープである養生テープを貼って、これら両周縁部分の間の隙間を閉じようとするときには、ホルダー部の中心が管状部よりも前方に来るようにホルダー部を旋回させることで、ホルダー部で隠された状態にある部分に対してもホルダー部に邪魔されることなく養生テープを貼ることができる。
【図面の簡単な説明】
【００１５】
【図１】防護マスクの斜視図とその部分拡大図。
【図２】防護衣の正面図。
【図３】防護衣と併せて着用した防護マスクの斜視図。
【図４】養生テープの一部が破断してある防護マスクの側面図。
【図５】ろ過部の分解斜視図とその部分拡大図。
【図６】図１のＶＩ−ＶＩ線断面図とその部分拡大図。
【発明を実施するための形態】
【００１６】
添付の図面を参照して、この発明に係るフルフェイス型の防護マスクの詳細を説明すると、以下のとおりである。
【００１７】
図１において、防護マスク１はフルフェイス型であって、着用者（図示せず）が透視可能な前面レンズ２と、前面レンズ２の後方にあって着用バンドと一体に形成されている面体３と、面体３を前面レンズ２の周縁部分に固定するための枠部材４とを有する。前面レンズ２は、着用者の顔面と対向する内面２ｄとその反対面である外面２ｃとを有する（図６参照）。その顔面から前面レンズ２に向かう方向は、防護マスク１における前方向であり、前面レンズ２から顔面に向かう方向は、防護マスク１における後方向である。防護マスク１における幅方向は双頭矢印Ｘで示されている。また、この発明において、防護マスク１の右方、左方というときには、着用者にとっての右方、左方を意味している。図示例の防護マスク１は、幅方向Ｘの寸法を二等分する中心線（図示せず）に関して左右対称に形成されている。
【００１８】
前面レンズ２は、透明で面体３よりも硬質なプラスチック材料で形成されていて、着用者の顔の正面部分と両側方部分とを覆うことができる。その正面部分は、両眼と、鼻部と、口許とを含む部分である。前面レンズ２にはまた、外気をろ過して取り入れるためのろ過部６が両側方部分に形成され、着用者の呼気を排出するための排出部７が幅方向Ｘの中央部分に形成されている。ろ過部６は、呼吸缶やろ紙を内蔵するフィルタ等のろ材６４（図６参照）を収容するためのホルダー部を形成しているホルダー部材１１と、ホルダー部材１１に収容したろ材６４の脱落を防止するためにホルダー部材１１に外側から組み付けられているキャップ１２と、ホルダー部材１１から前面レンズ２にまで延びていて、ホルダー部材１１の内側と前面レンズ２の内側とを通気可能な状態でつなぐ管状部を形成している管状部材１３とを有する。ホルダー部材１１は、管状部材１３を中心に旋回可能なものであって、その旋回を止めるためのストッパー１４がホルダー部材１１と管状部材１３とに対して形成されている。ろ過部６とストッパー１４との詳細は、後記図５，６において詳述される。
【００１９】
図２における防護衣２１は、防護マスク１とともに着用されて、着用者の全身を被覆保護することができる周知のものである。防護衣２１における頭部２２のうちの顔面被覆部２３には開口２４が形成され、開口２４の周縁部２６にはゴムひも（図示せず）が伸長状態で取り付けられている。開口２４は、着用されている防護マスク１の前面レンズ２を露出させるための部位であって、周縁部２６は、例えば、前面レンズ２の周縁近傍の部分において、後記図４の具体例でいえば、防護マスク１における枠部材４の後方において、面体３に対して弾性的に密着可能である。
【００２０】
図３では、着用している防護衣２１の開口２４における周縁部２６と防護マスク１との間に隙間が生じ、その隙間から外気が防護衣２１の内側に侵入することを防ぐために、養生テープ３１が防護衣２１と防護マスク１とに対して貼られている。具体的には、養生テープ３１を短く切り分けて得られる短冊状の小片３２の複数が、前面レンズ部２を一周するように互いにつなぎ合わせられるとともに、枠部材４と防護衣２１とに対して貼られている。枠部材４は、前面レンズ２と面体３とが気密状態で一体化することを可能にするもので、通常はポリカーボネート樹脂やＡＢＳ樹脂等の硬質プラスチック材料で形成されているから、養生テープ３１の小片３２を貼ることが容易であり、しかも、小片３２を枠部材４に対して貼っておくと、前面レンズ２における着用者の視界がその小片３２によって妨げられるということがない。また、面体３は、柔軟にして弾性を有する天然ゴムや合成ゴム等で形成されるものである。その面体３がシリコーンゴムで形成されている場合には、特に柔軟なものになるのであるが、小片３２は面体３に貼ることが難しくなる。それゆえ、小片３２は、面体３の材質が何であるかにかかわらず枠部材４に対して貼られることが一般的には好ましい。
【００２１】
図４における防護マスク１の側面図では、養生テープ３１の小片３２を部分的に切り欠くことによって、枠部材４と、枠部材４の後方に位置する防護衣２１の顔面被覆部２３とが示されている。顔面被覆部２３のうちの周縁部２６（図２参照）は、枠部材４によって隠された状態にあり、見ることができない。
【００２２】
図４においてはまた、図３の状態にあるろ過部６のホルダー部材１１が仮想線で示されている。実線で示されたホルダー部材１１は、仮想線で示されているホルダー部材１１が管状部材１３（図３，４を併せて参照）を中心に時計方向Ｃまたは反時計方向ＣＣへ約１８０°旋回したときのものである。ホルダー部材１１がこのように旋回した位置にあると、図３ではホルダー部材１１によって隠されていて見ることのできなかった養生テープ３１の一部分３３や枠部材４の一部分３４がよく見えるようになる。それゆえ、ホルダー部材１１が図４の状態にある防護マスク１では、ホルダー部材１１が図３の状態にある場合と比べて、すなわち仮想線のホルダー部材１１と比べて、養生テープ３１の小片３２を剥がす作業が容易であるばかりではなく、小片３２を防護マスク１と防護衣２１とに対して貼るときの作業も容易にかつ正確になる。なお、図４に実線で示されているホルダー部材１１は、着用者の視界の妨げになることがある他に、着用者にとっては、防護マスク１の重心が前方へ移動することになって、防護マスク１の着用による頸部等の疲労の原因になることもある。それゆえ、養生テープ３１を貼ったり剥がしたりする作業が終了したときには、ホルダー部材１１を時計方向Ｃまたは反時計方向ＣＣへ旋回させて図３の状態に戻しておかなければならない。
【００２３】
図５は、図１において防護マスク１の左方に位置しているろ過部６の分解斜視図であり、一部分が破断した状態にある前面レンズ２も併せて示されている。ただし、その前面レンズ２は、面体３と、枠部材４と、着用者の右方に位置するろ過部６と、排出部７とが外された状態にある。
【００２４】
ろ過部６を形成している部材は、次のとおりである。すなわち、前面レンズ２の内側では、吸気弁５１と固定用リング５２とが前面レンズ２の内側から外側に向かって並んでいる。前面レンズ２には、ろ過部６を組み付けるための側部透孔５３が形成されている。前面レンズ部２の外側では、図の左方から右方に向かって、第１リング５４、管状部材１３、ストッパー用のコイルスプリング５６とピン５７、ストッパー用のスライダ５８、第２リング５９、Ｃ字型リング６０、第３リング６１、ホルダー部材１１、第４リング６２、ろ材用受皿６３、ろ材６４およびろ材用キャップ１２が並んでいる。これらのうちで、管状部材１３は縮径部７１と拡径部７３とを有し、ホルダー部材１１は外径の小さい延出管部１１ａと外径の大きいろ材収納部１１ｂとを有する。また、図５に示されている線Ｐは、正面形状が円形であるホルダー部材１１、第４リング６２、ろ材受皿６３、ろ材６４、キャップ１２の中心を通る中心線であり、線Ｑは、正面形状が円形である吸気弁５１、固定用リング５２、第１リング５４、ホルダー部材１１の後記する延出管部１１ａ、第２リング５９、Ｃ字型リング６０および第３リング６１の中心を通る中心線である。なお、図５の前面レンズ２には排出部７を形成するための部材を組み付けるための中央部透孔２ａが横方向Ｘの中央に形成されている。中央部透孔２ａの周縁部２ｂは、その組み付けのために使用される。また、前面レンズ２の右方には、ろ過部６を組み付けるための側部透孔５３が形成されている。
【００２５】
図６は、図１のＶＩ−ＶＩ線断面図であるが、図５に示された中心線Ｐ，Ｑが図６では水平となるようにその断面図の向きが整えられている。また、図６では、防護マスク１のうちの前面レンズ２のみが部分的に示されている。前面レンズ２の側部透孔５３においては、管状部材１３のうちの縮径部７１が前面レンズ２の外側から挿入される。その縮径部７１は、時計方向Ｃへ回転すると側部透孔５３の周面とかみ合うように形成されていて、側部透孔５３からは簡単に抜け落ちることがないようになる。また、縮径部７１の外周面には固定用リング５２が嵌められていて、固定用リング５２と管状部材１３における拡径部７３とが側部透孔５３の周縁部において前面レンズ２の内外面２ｃ，２ｄに圧接し、管状部材１３は、前面レンズ２に対して回転不能かつ抜脱不能な状態にある。固定用リング５２の径方向中央部では軸部７４が前面レンズ２の内側へ延びていて、その軸部７４には吸気弁５１が取り付けられている。前面レンズ２と管状部材１３の拡径部７３との間には気密性を保つパッキング材としての第１リング５４が介在している。
【００２６】
管状部材１３における拡径部７３の内側には、ホルダー部材１１から延びる延出管部１１ａが管状部材１３の周方向へ回転可能かつ抜脱不能な状態で嵌合している。拡径部７３の内周面７６とそれに対して摺動する延出管部１１ａの外周面７７との間には、気密性を保つためのパッキング材である第２リング５９と、延出管部１１ａが管状部材１３から抜け出ることを防止するストッパーとしてのＣ字型リング６０とが介在している。なお、第２リング５９は、延出管部１１ａの外周面７７に形成された溝部７８に収容され、Ｃ字型リング６０は内周面７６と外周面７７とに形成された溝部７９ａ，７９ｂに収容されている。溝部７９ｂと並ぶように外周面７７に形成されている溝部７９ｃは、ホルダー部材１１と管状部材１３とを組み合わせるときに、Ｃ字型リング６０を縮径可能な状態で一時的に収容しておくための部位である。
【００２７】
ホルダー部材１１において、ろ材収納部１１ｂは、底部８１と周壁部８２とを有する。底部８１からは延出管部１１ａが延びており、周壁部８２にはねじ部８３が形成されている。底部８１にはまた、シーリング材である第４リング６２が収容されている。ろ材収納部１１ｂの平面形状は円形であって、その中心は中心線Ｐの上にある。延出管部１１ａは円筒状であって、その中心は中心線Ｑの上にある。ろ材収納部１１ｂの中心と延出管部１１ａの中心とは距離Ｒだけ離間している。
【００２８】
ろ材用受皿６３とろ材６４とろ材用キャップ１２とは通常分離不能な状態で着用者や防護マスク１の管理者等に供給されるもので、受皿６３の外周面に形成されたねじ部８４がろ材収納部１１ｂのねじ部８３に螺合し、その受皿６３の底部８６が第４リング６２に圧接している。受皿６３とキャップ１２とには、多数の通気孔８７，８８（図５を併せて参照）が形成されている。
【００２９】
これらホルダー部材１１と管状部材１３との間に位置する第３リング６１は、ホルダー部材１１と管状部材１３とを組み立てるときにばね材として使用されるもので、ホルダー部材１１が図の左方に向かって押圧された状態になると弾性的に圧縮され、ホルダー部材１１がその押圧から解放されるとホルダー部材１１を図の右方へ押し戻しながら図の状態にまで弾性的に復帰する。
【００３０】
このように組み立てられているろ過部６では、ホルダー部材１１が管状部材１３を中心に、換言すると中心線Ｑを中心に時計方向Ｃおよび反時計方向ＣＣへ旋回可能に形成されている（図３参照）。ホルダー部材１１が旋回するときには、ホルダー部材１１における延出管部１１ａの外周面７７が管状部材１３の内周面７６に対して摺動する。ただし、ろ過部６が図１の状態にあるときには、ストッパー１４によってその旋回が止められている。
【００３１】
図５における部分拡大図と図６とから明らかなように、ストッパー１４は、コイルスプリング５６とピン５７とスライダ５８との各部材と、コイルスプリング５６とスライダ５８とを収容するために管状部材１３における拡径部７３の外周面に形成されている収容部９１と、ホルダー部材１１の外周面に形成されていて中心線Ｑに平行する溝部９２とを含んでいる。収容部９１は、中心線Ｑと平行な一対の側壁９３と、これら一対の側壁９３をつなぐように拡径部７３の周方向へ延びる周壁９４と、底部９５とを有する。一対の側壁９３の間にはスライダ５８が中心線Ｑと平行な往復摺動運動をできるように納まっている。一対の側壁９３にはまた中心線Ｑと平行なガイド用長孔９６が形成されている。ピン５７はスライダ５８を貫通して延びていて、両端部のそれぞれが長孔９６に進入しており、長孔９６の内側を中心線Ｑと平行に往復摺動することができる。コイルスプリング５６は収容部９１における底部９５とスライダ５８との間にあって、スライダ５８を管状部材１３からホルダー部材１１の底部８１へ向かう方向へ付勢している。付勢されているスライダ５８の先端部５８ａは、ホルダー部材１１に形成されている溝部９２に進入している。スライダ５８にはまた、レバー部５８ｂが形成されている。コイルスプリング５６の付勢に抗するようにレバー部５８ｂを中心線Ｑと平行な方向へ押圧すると、コイルスプリング５６を弾性的に収縮させながらスライダ５８をホルダー部材１１から管状部材１３へ向かう方向へスライドさせて、スライダ５８の先端部５８ａを溝部９２から退出させることができる。先端部５８ａが溝部９２から退出しているホルダー部材１１は、ストッパー１４の作用から解放された状態にあって、時計方向Ｃにも反時計方向ＣＣにも旋回可能となる。ホルダー部材１１が旋回して図１の状態以外の状態にあるときには、スライダ５８における先端部５８ａがコイルスプリング５６の付勢下にホルダー部材１１における底部８１の外面８１ａに当接していて、ホルダー部材１１はストッパー１４の作用から解放されている。そのようなホルダー部材１１が旋回して、溝部９２とスライダ５８の先端部５８ａとの位置が一致すると、その先端部５８ａがコイルスプリング５６の作用で溝部９２へ進入する。その先端部５８ａがホルダー部材１１の周方向において溝部９２の側壁９２ａと当接可能となることによって、ホルダー部材１１の旋回が止まる。旋回するときのホルダー部材１１は、図３に例示の位置をとることができて、防護マスク１に対して養生テープ３１を貼ったり、剥がしたりする作業を容易にすることができる。
【００３２】
なお、吸気弁５１が取り付けられて防護マスク１に組み付けられているろ過部６では、防護マスク１の着用者の吸気動作によって外気がキャップ１２における通気孔８８へ進入してろ材６４においてろ過された後に通気孔８７を通ってホルダー部材１１のろ材収納部１１ｂに入る。その後、ろ過された外気は延出管部１１ｂと管状部材１３とを通り、吸気弁５１を開けて前面レンズ２の内側に入る。
【００３３】
これまでの図示例において、防護マスク１は幅方向Ｘの寸法を二等分する中心線（図示せず）に関して左右対称なものとして説明されているが、この発明は、左右非対称な防護マスクで実施することもできる。例えば、ろ過部６が着用者の左方にのみ形成されている防護マスクでこの発明を実施することができる。また、この発明において、ろ過部６は前面レンズ２に取り付けられたものであったが、この発明は、ろ過部６が面体３に取り付けられた態様で実施することもできる。
【符号の説明】
【００３４】
１    防護マスク
２    前面レンズ
３    面体
６    ろ過部
１１    ホルダー部（ホルダー部材）
１３    管状部（管状部材）
１４    ストッパー
５１    吸気弁
６４    ろ材
【図１】
0005920811.tif 000002
【図２】
0005920811.tif 000003
【図３】
0005920811.tif 000004
【図４】
0005920811.tif 000005
【図５】
0005920811.tif 000006
【図６】
0005920811.tif 000007